(57)【特許請求の範囲】
【請求項１】
有頂筒状の組付き筒(3)により容器本体(51)の口筒部(52)に嵌合組付きし、該組付き筒(3)の頂部(4)に形成した開口部(4a)の周縁から嵌合筒(7)を起立設すると共に、該嵌合筒(7)内に同心状に弁棒(9)を起立設したキャップ本体(2)を有し、中央部に前記弁棒(9)の先端部が下方から開閉自在に密閉する注出孔(25)を形成した頂壁(22)から、前記嵌合筒(7)に摺動状に上昇下降変位可能に嵌合する外筒(23)と内筒(24)を同心状に垂下設した蓋体(21)を有し、前記キャップ本体(2)又は蓋体(21)、あるいは双方から選ばれる所定位置に、中心軸対称に一対の第1斜面(S1)と一対の第２斜面(S2)を配設し、前記、一対の第1斜面(S1)と一対の第２斜面(S2)に対向する位置にそれぞれ、該第1斜面(S1)と第２斜面(S2)に横方向への押圧力を作用させる一対の第１押圧操作部(H1)と、一対の第２押圧操作部（H2)を配設し、前記第１押圧操作部(H1)の押圧操作による第１斜面(S1)を利用した蓋体(21)の上昇変位を可能に、また前記第２押圧操作部(H2)の押圧操作による第２斜面(S2)を利用した蓋体(21)の上昇変位を可能に構成し、前記第１押圧操作部(H1)又は前記第２押圧操作部(H2)の押圧操作により、注出孔(25)の開放状態を選択可能に構成したことを特徴とする液体注出キャップ。
【請求項２】
弁棒(9)の先端部と注出孔(25)を形成する周壁の少なくとも一方に、内容液を注出するための細流路を形成し、第１押圧操作部(H1)若しくは第２押圧操作部(H2)のいずれか一方の押圧操作部への押圧操作による開放状態では弁棒(9)の先端部が注出孔(25)の周壁に部分的に内接し、前記細流路を介して内容液を注出する構成とし、他方の押圧操作部による開放状態では、弁棒(9)の先端部が注出孔(25)から十分下方に位置し、注出孔(25)全体から内容液を注出する構成とした請求項１記載の液体注出キャップ。
【請求項３】
組付き筒(3)の頂部(4)の嵌合筒(7)の外側位置に、該頂部(4)の上面を基端として上方内側に傾斜する一対の第１斜面(S1)を形成し、蓋体(21)の頂壁(22)の外筒(23)の外側位置に、該頂壁(22)の下面を基端として下方内側に傾斜する一対の第２斜面(S2)を形成し、前記蓋体(21)の外筒(23)の外側に、注出孔(25)の弁棒(9)の先端部による密閉状態で上端が第１斜面(S1)の基端部近傍に当接し、下端が第２斜面(S2)の基端部近傍に当接する操作筒体(31)を配設し、該操作筒体(31)の下部の前記一対の第１斜面(S1)に対向する位置に一対の第１押圧操作部(H1)を、上部の第２斜面(S2)に対向する位置に一対の第２押圧操作部(H2)を配設し、前記一対の第１押圧操作部(H1)又は第２押圧操作部(H2)への押圧操作により、前記操作筒体(31)を扁平状に変形させて、前記一対の第１斜面(S1)又は第２斜面(S2)に横方向への押圧力を作用させる構成とした請求項１または２記載の液体注出キャップ。
【請求項４】
組付き筒(3)の周壁から下方外側に向けて、一対の第１斜面(S1)を形成すると共に該一対の第１斜面(S1)に対して中心軸回りの直角な方向に一対の第２斜面(S2)を形成し、蓋体(21)の頂壁(22)の外周縁から、前記組付き筒(3)を外装するように外装筒(26)を垂下設し、該外装筒(26)の前記一対の第１斜面(S1)に対向する位置近傍に一対の第１押圧操作部(H1)を配設し、一対の第２斜面(S2)に対向する位置近傍に一対の第２押圧操作部(H2)を配設し、前記一対の第１押圧操作部(H1)又は第２押圧操作部(H2)への押圧操作により、前記外装筒(26)を扁平状に変形させて、前記一対の第１斜面(S1)又は第２斜面(S2)に横方向への押圧力を作用させる構成とした請求項１または２記載の液体注出キャップ。
【発明の詳細な説明】
【技術分野】
【０００１】
本願発明は、液体を収納した中空容器の口筒部に嵌合して使用する液体注出キャップに関し、更に詳しくは、液体を収納した容器から液体を注出する際に、注出孔をワンタッチで開放して液体を注出可能にした液体注出キャップに関するものである。
【背景技術】
【０００２】
引用文献１には、図１１に示すようなワンタッチで注出孔を開放して液体を注出可能にした注出キャップに関する発明が記載されている。
【０００３】
図１１の注出キャップ１０１は、容器本体１５１の口筒部１５２に嵌合するキャップ本体１０２と、頂壁に注出孔１２５を形成した蓋体１２１の２つの部材から構成され、内容液を注出する際には指先で蓋体１２１を引き上げて注出孔１２５を開放状態とすることができ、弁棒１０９による注出孔１２５の密閉状態を開放する。注出が終わった際には蓋体１２１を押し下げて注出孔１２５を再び閉状態とすることができる。
【特許文献１】特開２０００−１６４５１号公報
【発明の開示】
【発明が解決しようとする課題】
【０００４】
上記したようなタイプの注出キャップは家庭用洗剤や化粧料等の容器として便利に使用されているが、蓋体１２１等に洗剤等が付着していると指先がすべって引き上げ操作がやり難くい場合があり、さらに操作性良い開放機構が要望されている。また、たとえば注出孔１２５の開放状態が選択でき、内容液の注出態様をたとえばシャワー状とストレート状に選択できるようにして使い勝手が向上させたいと云う要望がある。
【０００５】
そこで、本発明は上記のようなタイプの注出キャップの注出孔のワンタッチでの開放操作性を向上させると共に、開放状態を選択可能にすることを技術的課題とし、より使い勝手の良い注出キャップを提供することを目的とする。
【課題を解決するための手段】
【０００６】
上記課題を解決するための本発明の主たる手段は、液体を収納した中空の容器本体の口筒部に嵌合して使用する液体注出キャップにおいて、
有頂筒状の組付き筒により容器本体の口筒部に嵌合組付きし、この組付き筒の頂部に形成した開口部の周縁から嵌合筒を起立設すると共に、この嵌合筒内に同心状に弁棒を起立設したキャップ本体を有すること、
中央部に弁棒の先端部が下方から開閉自在に密閉する注出孔を形成した頂壁から、嵌合筒に摺動状に上昇下降変位可能に嵌合する外筒と内筒を同心状に垂下設した蓋体を有すること、
キャップ本体又は蓋体、あるいは双方から選ばれる所定位置に、中心軸対称に一対の第1斜面と一対の第２斜面を配設すること、
これら一対の第1斜面と一対の第２斜面に対向する位置にそれぞれ、この第1斜面と第２斜面に横方向への押圧力を作用させる一対の第１押圧操作部と、一対の第２押圧操作部を配設すること、
第１押圧操作部の押圧操作による第１斜面を利用した蓋体の上昇変位を可能に、また第２押圧操作部の押圧操作による第２斜面を利用した蓋体の上昇変位を可能に構成すること、
第１押圧操作部又は第２押圧操作部の押圧操作により、注出孔の開放状態を選択可能に構成すること、
にある。
【０００７】
上記、構成の注出キャップの主たる特徴は次の２つにまとめることができる。
（１）中心軸対称に位置する一対の押圧操作部を指先で挟むように押圧することにより、指先の滑りもなくワンタッチで注出孔を開放することができ、良好な開放操作性とすることができる。
（２）第１押圧操作部と第２押圧操作部と云う２つの押圧操作部を配設したものであり、それぞれの押圧操作部に対向位置し、横方向の力の作用を上下方向の力の作用に変換する機能を発揮する第１斜面と第２斜面の機能を利用して所定の高さ分、蓋体を上昇変位させることができる。
すなわち、第１押圧操作部か第２押圧操作部を選択することにより、注出孔の開放程度を変えて、たとえばシャワー状とストレート状と云うように内容液の注出態様を選択することができる。
【０００８】
そして、上昇変位の程度は各斜面の傾斜角度、またその長さによって適宜設定することができる。
【０００９】
本発明の他の手段は、上記主たる構成に加えて、
弁棒の先端部と、注出孔を形成する周壁の少なくとも一方に内容液を注出するための細流路を形成すること、
第１押圧操作部若しくは第２押圧操作部のいずれか一方の押圧操作部への押圧操作による開放状態では弁棒の先端部が注出孔の周壁に部分的に内接し、細流路を介して内容液を注出する構成とすること、
他方の押圧操作部による開放状態では、弁棒の先端部が注出孔から十分下方に位置し、注出孔全体から内容液を注出する構成とすること、
にある。
【００１０】
上記構成は内容液の注出態様を決める手段に係るものであり、第１押圧操作部と第２押圧操作部のどちらかを選択して押圧操作することにより、注出孔を部分的に開放して細流路を介して注出するか、あるいは注出孔を十分開放して注出孔全体から注出するかを選択することができる。
【００１１】
そして、注出孔を部分的に開放して注出する場合には細流路の形状により、細線状、シャワー状、霧状等の様々な注出態様を実現することができる。
【００１２】
本発明のさらに他の手段は、
組付き筒の頂部の嵌合筒の外側位置に、この頂部の上面を基端として上方内側に傾斜する一対の第１斜面を形成し、蓋体の頂壁の外筒の外側位置に、この頂壁の下面を基端として下方内側に傾斜する一対の第２斜面を形成すること、
蓋体の外筒の外側に、注出孔の弁棒の先端部による密閉状態で上端が第１斜面の基端部近傍に当接し、下端が第２斜面の基端部近傍に当接する操作筒体を配設すること、
操作筒体の下部の、一対の第１斜面に対向する位置に一対の第１押圧操作部を、上部の、第２斜面に対向する位置に一対の第２押圧操作部を配設すること、
一対の第１押圧操作部又は第２押圧操作部への押圧操作により、操作筒体を扁平状に変形させて、一対の第１斜面又は第２斜面に横方向への押圧力を作用させる構成とすること、
にある。
【００１３】
上記構成は、第１斜面および第２傾斜面の配設態様と、第１押圧操作部および第２押圧操作部を構成する部材の形状と、その配設態様に係る具体例の一つである。
上記構成の特徴は、第３の部材として筒状の操作筒体を用い、この操作筒体の下部に第１押圧操作部、上部に第２押圧操作部を配設した点にあり、第１押圧操作部はキャップ本体の頂部上面に形成された第１斜面を利用し、第２押圧操作部は蓋体の頂壁下面に形成された第２斜面を利用する。
【００１４】
そして、操作筒体の第１押圧操作部を指先で挟むようにして押圧すると、操作筒体が扁平に変形しながら、その下端が第１斜面に沿って上昇変位し、その結果、その上端を介して蓋体を所定高さ分上昇変位させることができる。
そして、操作筒体の第２押圧操作部を指先で挟むようにして押圧する場合には、操作筒体が扁平に変形しながら、その上端が第２斜面に沿って下降変位し、その結果蓋体を所定高さ分上昇変位させることができる。
ここで、第１斜面と第２斜面の傾斜角度を変えること等により、２つの押圧操作により蓋体の上昇変位高さを変えることができ、注出孔の開放状態を選択することができる。
【００１５】
本発明のさらに他の手段は、
組付き筒の周壁から下方外側に向けて、一対の第１斜面を形成すると共にこの一対の第１斜面に対して中心軸回りの直角な方向に一対の第２斜面を形成すること、
蓋体の頂壁の外周縁から、組付き筒を外装するように外装筒を垂下設すること、
この外装筒の、一対の第１斜面に対向する位置近傍に一対の第１押圧操作部を配設し、一対の第２斜面に対向する位置近傍に一対の第２押圧操作部を配設すること、
一対の第１押圧操作部又は第２押圧操作部への押圧操作により、外装筒を扁平状に変形させて、一対の第１斜面又は第２斜面に横方向への押圧力を作用させる構成とすること、
ことにある。
【００１６】
上記構成も、第１斜面および第２傾斜面の配設態様と、第１押圧操作部および第２押圧操作部を構成する部材の形状と、その配設態様に係る具体例の一つである。
上記構成の特徴は、蓋体に外装筒を垂下設し、この外装筒のたとえば前後方向、と左右方向と云うように相互に直角方向になるように第１押圧操作部と第２押圧操作部を配設した点にあり、キャップ本体の組付き筒に、これも相互に直角方向に形成された第１斜面と第２斜面を利用する。
【発明の効果】
【００１７】
本発明は、上記した構成となっているので、以下の効果を奏する。
中心軸対称に位置する一対の押圧操作部を指先で挟むように押圧することにより、指先の滑りもなくワンタッチで注出孔を開放することができ、良好な開放操作性とすることができる。
【００１８】
また、第１押圧操作部と第２押圧操作部と云う２つの押圧操作部を配設したものであり、それぞれの押圧操作部に対向位置し、横方向の力の作用を上下方向に力の作用に変換する機能を発揮する第１斜面と第２斜面の機能を利用して所定の高さ分、蓋体を上昇変位させることができ、注出孔の開放程度を変えて、たとえばシャワー状とストレート状と云うように内容液の注出態様を選択することができる。
【発明を実施するための最良の形態】
【００１９】
以下、本発明の実施の形態を実施例に沿って図面を参照しながら説明する。
なお、図１〜図５、図７、図８はいずれも注出キャップ１を容器本体５１の口筒部５２に組付き固定した状態を示している。
図１〜図４は本発明の注出キャップの第１実施例を示ものであり、図１は正面図、図２は注出孔２５の密閉状態を示す部分縦断正面図、図３は注出孔２５の部分的な開放状態を示す縦断正面図、そして図４は注出孔２５の全開放状態を示す縦断正面図である。
【００２０】
本実施例の注出キャップ１は、いずれも合成樹脂製のキャップ本体２と蓋体２１と操作筒体３１の３つの部材から構成される。
キャップ本体２は、有頂筒状で、容器本体５１の口筒部５２に螺合組付きする組付き筒３を有し、この組付き筒３の頂部４からは、外鍔、同軸心状に外装筒５が垂下設し、また内側には口筒部５２に密嵌入するシール筒片６を垂下設している。
【００２１】
また、頂部４の中央部に開口部４ａを形成し、この開口部４ａの周縁部から、嵌合筒７を起立設すると共に、この開口部４ａの中央に連結片８を介して先細円柱状の弁棒９を起立設している。この弁棒９の先端には縦溝状に多数の細流路９ａを形成している。
【００２２】
また、嵌合筒７の外側位置に、頂部４の上面を基端として、上方内側に傾斜する左右一対の第１斜面Ｓ１を形成しており、この第１斜面Ｓ１の上端には当接片１１を形成している。第１斜面Ｓ１は、左右一対に部分的に形成していても、全周形成していてもよい。
【００２３】
蓋体２１は中央部に上記した弁棒９の先端部が下方から密嵌入可能な注出孔２５を形成した頂壁２２を有し、この頂壁２２から、上記した嵌合筒１７に摺動状に上昇下降変位可能に嵌合する外筒２３と内筒２４が同心状に垂下設している。
また注出孔２５の周縁からは短円筒状のノズル筒２７が起立設している。
【００２４】
また、頂壁２２の外筒２３の外側位置に、この頂壁２２の下面を基端として下方内側に傾斜する左右一対の第２斜面Ｓ２を形成している。第２斜面Ｓ２は、左右一対に部分的に形成していても、全周形成していてもよい。
この実施例では第１斜面Ｓ１に比較して第２斜面Ｓ２の傾斜を急角度にしている。
【００２５】
操作筒体３１は円筒状で、この操作筒体３１の下部の上記した一対の第１斜面Ｓ１に対向する位置に左右一対の第１押圧操作部Ｈ１を、また上部の第２斜面Ｓ２に対向する位置に左右一対の第２押圧操作部Ｈ２を配設している。
これら、一対の第１押圧操作部Ｈ１と第２押圧操作部Ｈ２は指先で挟んで両側から押圧し易いように少し凹ませて、ロレットを刻設するようにしている。
また、指先で挟んで両側から押圧し際に扁平状に変形できるように、この操作筒体３１をある程度剛性を有し、かつ変形可能な材質とされる合成樹脂材料を選択すると共に、その肉厚を決めている。
【００２６】
次に、これらキャップ本体２、蓋体２１、操作筒体３１の３つの部材を組付けた本実施例の注出キャップ１の注出孔２５の開放操作に係る作用機構を説明する。
図２は弁棒９の先端部を注出孔２５に密嵌入した状態を示すものであり、操作筒体３１の上端は蓋体２１の頂壁２２の外周縁下面の、第２斜面Ｓ２の基端部直近位置に当接し、下端はキャップ本体２の頂部４の外周縁上面の、第１斜面Ｓ１の基端部直近位置に当接して位置する。
【００２７】
この状態で、図３中の白抜き矢印で示されるように、この操作筒体３１の下部に位置する第１押圧操作部Ｈ１を指先で挟むようにして押圧すると、この図３に示されるように、操作筒体３１の下端が第１斜面Ｓ１の傾斜に沿って摺動状に斜め内側上方に当接片１１に当接するまで移動する。
そして、この移動に伴なって、操作筒体３１の上端が蓋体２１を上方に押し上げ、移動距離の上下方向への成分だけ、蓋体２１が上昇変位する。
【００２８】
本実施例では、この第１押圧操作部Ｈ１への押圧操作により、図３中の部分拡大図に示されるように、弁棒９の極く先端部分が注出孔２５に内接した状態で、注出孔２５を部分的な開放状態として、容器本体５１の胴部を押圧して内容液を多数の細流路９ａを介してシャワー状に注出することができる。
そして、注出が終わったら蓋体２１を押し下げて図２に示される密閉状態とすることができる。
【００２９】
なお、蓋体２１の上昇変位では、蓋体２１の外筒２３と内筒２４がキャップ本体２の嵌合筒７に沿って摺動状に移動するので、図３の状態で第１押圧操作部Ｈ１への押圧力を解除しても、蓋体２１の上昇変位位置は変化しないが、この上昇変位位置をより確実に保持するために、周突条等を付設して、嵌合筒７と外筒２３あるいは内筒２４の間に、軽微な係止機構を形成しておくこともできる。
【００３０】
また、操作筒体３１は、必要に応じて多数の縦リブを付設したり、周方向に厚肉部分と薄肉部分を配置することもでき、このようにすることにより指先での押圧操作により扁平状に変形し易く、かつ蓋体２１を上昇変位させる機能が十分発揮できるように、上下方向の剛性を高くすることができる。
【００３１】
次に、図４中の白抜き矢印で示されるように、この操作筒体３１の上部に位置する第２押圧操作部Ｈ２を指先で挟むようにして押圧すると、この図４に示されるように、操作筒体３１の上端が第２斜面Ｓ２の傾斜に沿って摺動状に斜め内側下方に外筒２３の周壁に当接するまで移動する。そして、この移動に伴なって蓋体２１が上昇変位する。
【００３２】
この第２押圧操作部Ｈ２への押圧操作により、図４中に示されるように弁棒９の先端部は注出孔２５から十分下方に位置し、注出孔２５は全開放状態となり、容器本体５１の胴部を押圧して内容液を注出孔２５全体からストレート状に注出することができる。
【００３３】
次に、図５〜図８は本発明の注出キャップの第２実施例を示ものであり、図５は縦断正面図、図６は押圧操作部の配設状態を平面図で示す概略説明図、図７は注出孔２５の部分的な開放状態を示す縦断正面図、図８は注出孔２５の全開放状態を示す縦断側面図である。
【００３４】
本実施例の注出キャップ１は、合成樹脂製のキャップ本体２と蓋体２１の２つの部材から構成される。
キャップ本体２は、第１実施例のキャップ本体２と同様に、有頂筒状の組付き筒３を有し、この組付き筒３の頂部４からシール筒片６を垂下設している。
また、頂部４の中央部に開口部４ａを形成し、この開口部４ａの周縁部から、嵌合筒７を起立設すると共に、この開口部４ａの中央に連結片８を介して有頂円筒状の弁棒９を起立設している。
また、嵌合筒７の外側にはガイド筒片１２を起立設している。
【００３５】
また、組付き筒３の周壁の下端近傍から、外鍔状に下方外側に向けて傾斜したスカート周片１３を周設しており、このスカート周片１３の左右に一対の第１斜面Ｓ１を形成し（図７参照）、前後に一対の第２斜面Ｓ２を形成する（図８参照）ようにしている。本実施例でも第１斜面Ｓ１に比較して第２斜面Ｓ２の傾斜を急角度にしている。
【００３６】
なお、本実施例ではスカート周片１３を形成し、その一部を第１斜面Ｓ１、あるいは第２斜面Ｓ２としているが、必ずしも傾斜面を周設する必要はなく、組付き筒３の周壁の左右、前後に第１斜面Ｓ１あるいは第２斜面Ｓ２を形成する部位を足片状に付設することもできる。
【００３７】
蓋体２１も、第１実施例の蓋体２１と同様に、中央部に注出孔２５を形成した頂壁２２、ノズル筒２７、外筒２３、内筒２４を有し、さらに頂壁２２の外周縁から、組付き筒３を外装するように外装筒２６を垂下設している。
また、注出孔２５の周壁には縦溝状に多数の細流路２５ａを形成している。（図５、図６参照）
そして、この外装筒２６の下端部には、左右一対の第１押圧操作部Ｈ１と前後一対の第２押圧操作部Ｈ２を配設している。（図６参照）
そしてこの外装筒２６の内周面には上記左右一対の第１押圧操作部Ｈ１と前後一対の第２押圧操作部Ｈ２に対向する位置に三角形状の突片２６ｔを付設している。
【００３８】
次に、これらキャップ本体２、蓋体２１の２つの部材を組付けた本実施例の注出キャップ１の注出孔２５の開放操作に係る作用機構を説明する。
なお、２つの部材の組付けに際しては、外筒２３とガイド筒片１２の間に設けたキー溝構造３２により、組付けの周方向に係る位置決めをし、両者を回動不能に組み付けるようにしている。（図５参照）
図５は弁棒９の先端部に形成された肩部を利用して注出孔２５を密閉した状態を示すものであり、外装筒２６の突片２６ｔは第１斜面Ｓ１の外縁近傍に当接して位置する。また、前後方向では突片２６ｔは第２斜面Ｓ２の外縁近傍に当接して位置する。（図示省略）
【００３９】
この状態で、第１押圧操作部Ｈ１を指先で挟むようにして押圧すると、図７に示されるように突片２６ｔの先端が第１斜面Ｓ１の傾斜に沿って摺動状に斜め内側上方に、組付き筒３の周壁に当接するまで移動する。
そして、この移動に伴なって、蓋体２１が上昇変位する。
【００４０】
この第１押圧操作部Ｈ１への押圧操作により注出孔２５は部分的な開放状態となり、容器本体５１の胴部を押圧して内容液を多数の細流路２５ａを介して注出することができる。
そして、注出が終わったら蓋体２１を押し下げて図５に示される密閉状態とすることができる。
【００４１】
次に、前後方向に位置する第２押圧操作部Ｈ２を指先で挟むようにして押圧すると、図８に示されるように突片２６ｔの先端が第２斜面Ｓ２の傾斜に沿って摺動状に斜め内側上方に、組付き筒３の周壁に当接するまで移動する。
そして、この移動に伴なって、蓋体２１が上昇変位するが、第２斜面Ｓ２の傾斜角度を第１斜面Ｓ１に比較して急勾配にしており、これにより第２押圧操作部Ｈ２による蓋体２１の上昇変位を、第１押圧操作部Ｈ１の場合に比較して大きくすることができる。
【００４２】
そして、この第２押圧操作部Ｈ２への押圧操作により注出孔２５は全開放状態となり、容器本体５１の胴部を押圧して内容液を注出孔２５全体からストレート状に注出することができる。
【００４３】
ここで、内容液の注出孔２５からの注出態様は、弁棒９の先端部と注出孔２５との位置関係、弁棒９の先端部と注出孔２５の形状、ノズル筒２７の形状、さらには部分的な開放状態における細流路の形状とその配設態様により様々なものとすることができる。
本第２実施例では注出孔２５の周壁に細流路２５ａを形成する構成としたが、図９（ａ）、（ｂ）は細流路の形成態様の他のバリエーションを、注出孔２５の部分的な開放状態で示す説明図であり、図９（ａ）は第１実施例と同様に弁棒９の先端部に細流路９ａを形成した例、図９（ｂ）は弁棒９の先端部と注出孔２５の双方に、細流路９ａと細流路２５ａを形成した例である。
【００４４】
図１０はさらに、弁棒９の先端部における細流路９ａの別の形成態様を示すものであり、図１０(ａ)は部分的な開放状態、図１０（ｂ）は全開放状態である。
この細流路９ａは弁棒９の短円柱状の先端部に横方向の貫通孔と、この貫通孔に連通する縦孔を形成したものである。
そして、図１０(ａ)の部分的な開放状態では内容液を、この細流路９ａを介して細径に絞ったストレート状に注出することができる。また、図１０(ｂ)の全開放状態では内容液を、太径でストレート状に注出することができる。
【００４５】
以上、実施例に沿って本発明の実施の形態を説明したが、本発明の実施の形態はこれら実施例に限定されるものではない。
本発明の基本的な技術思想は、注出孔をワンタッチで開放して液体を注出可能にした液体注出キャップにおいて、２組の斜面に対向して２組の押圧操作部を配設し、注出孔の開放状態、そして内容液の注出態様を選択できるよういした点にあり、このような基本的な構成が実現できる範囲で、キャップ本体と蓋体の形状を様々な態様とすることができるし、第１実施例の操作筒体のように第３の部材を使用することもできる。
【００４６】
また、上記の実施例の注出キャップの形状は基本的には円筒状のものであるが、長円筒状、矩形筒状、多角形筒状等の形状にすることもできる。
【産業上の利用可能性】
【００４７】
本発明の注出キャップは、ワンタッチによる注出孔の開放操作が容易で、その開放状態を選択できる今までにない機能を有したものであり、家庭用洗剤や化粧料等の容器の分野で幅広い展開が期待される。
【図面の簡単な説明】
【００４８】
【図１】本願発明の注出キャップの第１実施例を示す正面図である。
【図２】図１の注出キャップの注出孔の密閉状態を示す部分縦断正面図である。
【図３】図１の注出キャップの注出孔の部分的な開放状態を示す縦断正面図である。
【図４】図１の注出キャップの注出孔の全開放状態を示す縦断正面図である。
【図５】本願発明の注出キャップの第２実施例を示す縦断正面図である。
【図６】図５の注出キャップの押圧操作部の配設状態を平面図で示す概略説明図である。
【図７】図５の注出キャップの注出孔の部分的な開放状態を示す縦断正面図である。
【図８】図５の注出キャップの注出孔の全開放状態を示す縦断側面図である。
【図９】（ａ）、（ｂ）とも細流路の形成態様のバリエーションを注出孔の部分的な開放状態で示す説明図である。
【図１０】細流路の形成態様の他のバリエーション示す説明図であり、(ａ)は注出孔の部分的な開放状態、（ｂ）は全開放状態を示す。
【図１１】従来例の注出キャップを示す縦断正面図である。
【符号の説明】
【００４９】
１  ；注出キャップ
２  ；キャップ本体
３  ；組付き筒
４  ；頂部
４ａ；開口部
５  ；外装筒
６  ；シール筒片
７  ；嵌合筒
８  ；連結片
９  ；弁棒
９ａ；細流路
１１；当接片
１２；ガイド筒片
１３；スカート周片
２１；蓋体
２２；頂壁
２３；外筒
２４；内筒
２５；注出孔
２５ａ；細流路
２６；外装筒
２６ｔ；突片
２７；ノズル筒
３１；操作筒体
３２；キー溝構造
５１；容器本体
５２；口筒部
Ｓ１；第１斜面
Ｓ２；第２斜面
Ｈ１；第１押圧操作部
Ｈ２；第２押圧操作部
１０１；注出キャップ
１０２；キャップ本体
１０９；弁棒
１２１；蓋体
１２５；注出孔
１５１；容器本体
１５２；口筒部
【図１】
0004919191.tif 000002
【図２】
0004919191.tif 000003
【図３】
0004919191.tif 000004
【図４】
0004919191.tif 000005
【図５】
0004919191.tif 000006
【図６】
0004919191.tif 000007
【図７】
0004919191.tif 000008
【図８】
0004919191.tif 000009
【図９】
0004919191.tif 000010
【図１０】
0004919191.tif 000011
【図１１】
0004919191.tif 000012